(57)【特許請求の範囲】
【請求項１】
上部に開口部を有し、この開口部から内部に電池が収容される電池収容部と、
前記開口部上に非存在の非被蓋状態から、少なくとも前記開口部上に位置して前記開口部を覆う被蓋状態まで、一定の摺動方向に摺動可能に設けられた蓋部材と、
前記非被蓋状態において、前記摺動方向に沿って斜め上方に前記開口部より突出し、かつ前記蓋部材に当接し、前記蓋部材の前記非被蓋状態から前記被蓋状態への摺動によって前記開口部側に回転し、前記被蓋状態において前記電池に押圧される舌片とを、
具備する電池固定具。
【請求項２】
請求項１記載の電池固定具において、前記電池収容部の開口部は、前記電池の長さ寸法にほぼ等しい長さ寸法を有し、互いに対向する長縁部と、前記電池の幅寸法にほぼ等しい長さ寸法を有し互いに対向する短縁部とを、備え、前記蓋部材は、一方の短縁部側から他方の短縁部側に前記開口部の長縁部に沿って前記非被蓋状態から前記被蓋状態に摺動可能に形成され、前記舌片が、前記開口部の一方の短縁部側に形成されている電池固定具。
【請求項３】
請求項２記載の電池固定具において、前記電池が角型電池であり、前記電池収容部の短縁部に前記角型電池の２つの異なる寸法の電極が接続される２つの接点片が形成され、これら２つの接点片のうち、前記角型電池における小さい寸法の電極が接触するものの両側に、前記角型電池の大きい寸法の電極の寸法よりも小さい間隔をおいて突部が形成されている電池固定具。
【請求項４】
請求項１記載の電池固定具において、前記舌片は、前記被蓋状態において前記電池に当接する側の摩擦係数が、前記電池に当接する側と反対側の摩擦係数より大きく形成されている電池固定具。
【請求項５】
請求項１記載の電池固定具において、前記舌片は、前記電池に当接する側に前記舌片よりも摩擦係数の大きい弾力性当接部材を有する電池固定具。
【発明の詳細な説明】
【０００１】
【発明の属する技術分野】
本発明は、電池によって駆動される機器に電池を収容したときに、電池を固定する電池固定具に関する。
【０００２】
【従来の技術】
従来、電池によって駆動される機器では、この機器に電池収容部を設け、この電池収容部内面にスポンジやゴムなどの弾性体を配置し、この弾性体によって電池のがたつきを吸収することが行われていた。或いは、電池収容部内に設けられている電極接点の弾性を利用して、電池収容部内に電池を固定し、がたつきを抑えることが行われていた。
【０００３】
【発明が解決しようとする課題】
一般に、電池の寸法公差は大きい。この公差分を吸収した上で、電池収容部内面の弾性体や電極接点の弾性を利用して、電池収容部内に電池を固定しようとすると、電池が電池収容部内に引っかかり、出し入れがしにくい。電池の出し入れをしやすくすると、電池のがたつきを抑えることができず、電池を固定することができなかった。
【０００４】
本発明は、電池の出し入れがしやすく、かつ電池のがたつきを抑えた電池固定具を提供することを目的とする。
【０００５】
【課題を解決するための手段】
本発明による電池固定具は、電池収容部を有し、これは、上部に開口部を有し、この開口部から内部に電池が収容される。この電池としては、種々のものを使用することができ、例えば角型電池や円柱状のものを使用することができる。開口部上に非存在の非被蓋状態から、少なくとも前記開口部上に位置して前記開口部を覆う被蓋状態まで、一定の摺動方向に摺動可能に蓋部材が設けられている。非被蓋状態において、舌片が前記摺動方向に沿って斜め上方に前記開口部より突出し、かつ前記蓋部材に当接している。この舌片は、蓋部材の非被蓋状態から被蓋状態への摺動によって開口部側に回転し、被蓋状態において前記電池に押圧される。
【０００６】
この固定具によれば、蓋部材が開口部を被蓋した状態において、蓋部材が舌片を電池に押圧している。従って、電池が電池収容部内においてがたつくことがない。また、蓋部材が開口部を被蓋していない状態では、舌片は、開口部から離れる方向に位置しているので、舌片が電池の出し入れの邪魔になることはなく、電池収容部内に電池を押圧固定するための弾性体等も存在しない。従って、電池の出し入れが速やかに行われる。
【０００７】
前記電池収容部の開口部は、前記電池の長さ寸法にほぼ等しい長さ寸法を有し、互いに対向する長縁部と、前記電池の幅寸法にほぼ等しい長さ寸法を有し互いに対向する短縁部とを、備え、前記蓋部材は、一方の短縁部側から他方の短縁部側に前記開口部の長縁部に沿って前記非被蓋状態から前記被蓋状態に摺動可能に形成され、前記舌片が、前記開口部の一方の短縁部側に形成されている。
【０００９】
このように構成すると、蓋部材を開口部の長縁に沿って摺動させることによって電池収容部を被蓋するときに、蓋部材を摺動させるために蓋部材に加えた力の分力が舌片に加わり、開口部側に舌片を押圧することができる。従って、被蓋作業を行うと同時に舌片による角型電池の押圧を行うことができ、作業性が向上する。
【００１０】
電池として使用する角型電池は、その一端面に寸法の異なる２つの電極を有している。前記電池収容部の短縁部に、前記角型電池の２つの異なる寸法の電極が接続される２つの接点片を形成することができる。これら２つの接点片は、同一形状とすることがある。これら２つの接点片のうち、前記角型電池における小さい寸法の電極が接触するものの両側に、前記角型電池の大きい寸法の電極の寸法よりも小さい間隔をおいて突部が形成されている。
【００１１】
角型電池の２つの電極を電池収容部の２つの接点片にそれぞれ接触させるとき、極性を誤って接続する可能性がある。特に、開口部を介して角型電池を出し入れしているので、この可能性は高い。しかし、角型電池の小さい寸法の電極が接触する接点片の両側に、角型電池の大きい寸法の電極の寸法よりも小さい間隔をおいて突部を形成しているので、角型電池の大きい寸法の電極が、角型電池の小さい寸法の電極用の接点片に誤って接続されることを突部が阻止する。即ち、角型電池の誤接続を防止できる。
【００１２】
舌片は、被蓋状態において電池に当接する側の摩擦係数が反対側の摩擦係数よりも大きく形成されているものとできる。このように構成すると、舌片が電池を強固に固定することができる。従って、電池収容部を移動させても、移動中に電池が、がたつくことがない。
【００１３】
或いは、舌片は、被蓋状態において舌片の前記電池に当接する側に舌片よりも摩擦係数が大きく、弾性を有する当接部材を形成することもできる。
【００１４】
このように構成すると、電池を電池収容部内に強固に固定することができるので、電池収容部を移動させても、移動中に電池ががたつくことがない上に、当接部材が弾力を有するので、電池の寸法公差、特に開口部に向かう方向の寸法公差を吸収し、かつ電池を押しつけるテンションを得ることができる。
【００１７】
【発明の実施の形態】
本発明の１実施の形態による電池固定具は、例えば図１に示すようなワイヤレスマイクロホンに実施されている。無論、他の電気機器にも実施することができる。このワイヤレスマイクロホンは、本体部２と、蓋部材４とを備えている。
【００１８】
本体部２は、概略円筒状に形成され、図示を省略しているが、その前半部分にマイクロホンと、このマイクロホンで集音した音声信号を送信するための送信回路とが、設けられている。本体部２の後半部に電池収容部６が設けられている。電池収容部６は、本体部２の後半部をその長さ方向に沿う中心軸に沿う水平面よりも上部を除去した形状である。電池収容部６は、その上部に開口部を有し、その内部に、例えばＪＩＳ規格、ＩＥＣ規格の６Ｆ２２、６ＬＲ６１タイプの角型電池１２を収容可能に形成されている。
【００１９】
電池収容部６の開口部は、図３に示すように、対向する２つの長縁部８を有し、さらに長縁部８と直交する２つの短縁部１０を有している。長縁部８は、角型電池１２の長縁よりも若干長い長さを有し、短縁部１０は、角型電池１２の短縁にほぼ等しい長さを有している。この開口部を介して角型電池１２は、電池収容部６内に出し入れされる。
【００２０】
この開口部６の前側の短縁部１０には、２つの接点片１４、１６が形成されている。これら接点片１４、１６は、同一形状の導電金属製であり、角型電池１２の一方の端面に間隔をおいて存在する２つの電極１８、２０と接触するものである。角型電池１２の電極１８と２０とは、図３から明らかなように、その形状が異なり、また、電極２０の寸法が電極１８よりも大きい。本来、接点片１４は電極１８に、接点片１６は電極２０に、それぞれ接触するものである。接点片１４、１６は、電極１８、２０に対応して形状を異ならせていないので、開口部から角型電池１２を電池収容部６内に収容したとき、接点片１４に電極２０を、接点片１６に電極１８を、誤って接続する可能性がある。そこで、寸法の小さい電極１８が接続されるべき接点片１４の両側には、角型電池１２の電極２０の寸法よりも小さい間隔をおいて２つの板状の突部２２、２２が電池収容部６内部側に向かって電池収容部６の底部にほぼ垂直に突出している。この突出量は、接点片１４の突出量よりも多くされている。
【００２１】
このように突部２２、２２を形成しているので、図１（ｂ）に点線で示すような状態から開口部を通って角型電池１２を電池収容部６内に収容したとき、電極２０が接点片１４側に、電極１８が接点片１６側に位置する状態であっても、電極２０が突部２２に接触し、それ以上、角型電池１２が降下することを阻止する。従って、誤って電極２０が接点片１４に、電極１８が接点片１６に接続されることを防止できる。従って、接点片１４、１６には、同一形状のものを使用することができ、コストを低減することができる。
【００２２】
電池収容部６における後ろの短縁部１０側には、舌片２４が設けられている。この舌片２４は、例えば合成樹脂製の細長い板状体であり、その基端部側が、後ろの短縁部１０側にあり、その先端部が前側の短縁部１０側にある。この舌片２４の基端部の裏面側には、図２に示すように、その幅方向に沿って回転軸２６が配置され、かつ固定されている。この回転軸２６は、舌片２４の幅方向（開口部の短縁部１０の沿う方向）の両側に位置するように収容部６の内部に設けられた軸受け２８、２８の上部に、回転自在に支持されている。従って、舌片２４は、回転軸２６の回りに回転自在である。なお、これら軸受け２８、２８に角型電池１２の一方の端面（電極１８、２０が設けられている端面と反対側の端面）が接している。
【００２３】
この回転軸２６に可動手段、例えば付勢手段、具体的には弾性体、より具体的には、コイルスプリング３０が挿通されている。このコイルスプリング３０の一端は、例えば舌片２４に結合され、他端は、一方の軸受け２８に結合されている。このコイルスプリング３０は、舌片２４が図１における時計方向、即ち電池収容部６から離れる方向の付勢力を舌片２４に与えている。図１（ｂ）に示すように、この付勢状態では、角型電池１２が舌片２４と接触せずに、電池収容部６内に出し入れできるように、舌片２４は、かなり開口部から離れた位置にある。この舌片２４の先端部の内面には、当接部材３２が取り付けられている。この当接部材３２は、舌片２４よりも摩擦係数の大きい材質、例えばスポンジやゴム製のものである。
【００２４】
蓋部材４も、本体２と同様に概略円筒状に形成され、その内部に電池収容部６を収容することができるように、中空に形成されている。この蓋部材４の一端部は開放され、他端は閉塞されている。蓋部材４の開放端部からその内部に、電池収容部６が位置するように、本体２の長さ方向に沿って摺動可能である。この蓋部材４の開放端部の内周面には、雌ねじ３４が形成されている。これは、図１（ａ）に示すように、本体部２の電池収容部６よりも前側の外周面に形成された雄ねじ３６と螺合可能なものである。この螺合状態において、電池収容部６が蓋部材２によって被蓋されている。この蓋部材４の少なくとも内周面は、小さな摩擦係数を持つことが望ましい。
【００２５】
この電池固定具では、電池収容部６内に図１（ｂ）に示すように角型電池１２を収容し、角型電池１２の電極１８、２０を対応する接点片１４、１６に接触させた後、蓋部材４を本体２側に摺動させる。この摺動につれて、蓋部材４の開口端部が舌片２４の背面に接触し、スプリングコイル３０の付勢力に抗して、舌片２４を電池収容部６側に押圧する。そして、蓋部材４が電池収容部６を完全に被蓋した状態、即ち雌ねじ３４を雄ねじ３６に螺合させた状態では、図１（ａ）に示すように舌片２４の裏面に設けた当接部材３２が角型電池１２の胴部に押圧され、強固に角型電池１２を電池収容部６の底面に押圧している。
【００２６】
この押圧状態では、当接部材３２は、角型電池１２の中央部よりも幾分軸受け２８に近い位置を押圧している。角型電池１２の中央部よりも電極１８、２０側に近い位置を当接部材３２によって押圧しようとする場合、舌片２４に長いものを使用しなければならず、大きな回転トルクが必要になり、コイルスプリング３０に比較的付勢力の大きなものを使用する必要がある。しかし、角型電池１２の中央部よりも軸受け２８に近い位置を当接する場合、舌片２４の長さが短くなり、小さな回転トルクをコイルスプリング３０が発生すればよいので、付勢力の小さなコイルスプリングを使用することができる。また、舌片２４が長いと、角型電池１２の出し入れの邪魔になるし、材料も余分に必要であり、コストも高くなるし、重量も重くなる。そこで、舌片２４は、短いものとされている。
【００２７】
当接部材３２が弾力を有しているので、角型電池１２の開口部方向に向かう寸法に公差があっても、これを吸収した上で、確実に角型電池１２を固定することができる。また、当接部材３２に摩擦係数の大きな材質のものを使用しているので、角型電池１２と当接部材３２との接触が維持され、強固に電池収容部６内に押圧でき、ワイヤレスマイクロホンが移動しているときに、角型電池１２ががたつくことがない。蓋部材４の少なくとも内周面は、摩擦係数が小さくされているので、舌片２４を蓋部材４の摺動に伴って、速やかに押圧することができ、角型電池１２の収容に支障が生じることがない。しかも、蓋部材４によって電池収容部６を被蓋するための操作を行うと、同時に角型電池１２を舌片２４によって押圧固定することができる。従って、被蓋操作と別に角型電池１２の固定操作を行う必要がなく、作業性が良好である。
【００２８】
また、角型電池１２を交換する場合、雌ねじ３４と雄ねじ３６との螺合を解除し、蓋部材４を後方に摺動させればよい。これによって、舌片２４に対する蓋部材４による押圧が解除され、図１（ｂ）に示すように、舌片２４は、開口部から離れる方向にコイルスプリング３０の付勢力によって回転する。この後、角型電池１２を電池収容部６から取り出して、新たな角型電池１２を電池収容部６に収容するが、この出し入れの間、舌片２４には角型電池１２が接触することがなく、舌片２４が角型電池１２の出し入れの障害になることはない。即ち、角型電池１２の出し入れが容易に行える。
【００２９】
上記の実施形態では、舌片２４は、電池収容部６の後方の短縁部１０側に設けたが、これに代えて、電池収容部６の前方の短縁部１０側に設けることもできる。また、電池収容部６のいずれかの長縁部８側に設けることもできる。また、上記の実施の形態では、舌片２４は電池収容部６内に設けたが、電池収容部６の開口部の長縁部８及び短縁部１０いずれかの上に軸受けを設け、これに舌片２４を回転自在に支持することもできる。
【００３０】
さらに、上記の実施の形態では、舌片２４を合成樹脂で構成し、これにコイルスプリング３０によって付勢力を与えたが、舌片２４を板バネによって形成すれば、コイルスプリング３０が不要になる。同様に、舌片２４を合成樹脂で構成し、この合成樹脂自体の弾性を利用してもコイルスプリング３０を省略できる。コイルスプリング３０は、軸２６に挿通したが、スペースが許せば、コイルスプリング３０の一端を電池収容部６の例えば底部に固定し、他端を舌片２４の適所に固定してもよい。
【００３１】
上記の実施の形態では、可動手段として、コイルスプリング３０による付勢手段を設けたが、可動手段としてはこれに限ったものではなく、舌片の回動手段を設けてもよい。例えば、舌片を蓋部材の摺動方向に沿って配置し、かつ舌片が回転自在となるように舌片の中途を開口部に支持することによって、舌片が開口部及びこれから離れた位置に移動可能に形成し、かつ舌片の基端部に接触部を形成し、この接触部を蓋部材４の内面に接触可能とし、蓋部材が開口部を被蓋していない状態で蓋部材の内面が舌片の基端部の接触部に接触することによって、舌片を開口部から離れた位置に回転させ、蓋部材を開口部の長手縁に沿って摺動させるに従って蓋部材の内面の舌片への接触位置が変化して、舌片を開口部側に回転させ、最終的に蓋部材４が開口部を被蓋した状態において、蓋部材の内面が舌片の先端部を電池側に押圧する構成としてもよい。
【００３２】
或いは、同じく回動手段として、上記と同様に舌片の中途を回転自在に開口部に支持し、舌片の基端部に錘を設け、蓋部材４が開口部を被蓋していない状態では、錘の重力によって舌片を開口部から離れた位置まで回転させ、蓋部材４を長手縁に沿って摺動させると、舌片に蓋部材の内面が接触して、錘の重力に逆らって、舌片を電池側に回転させる構成を採用することもできる。
【００３３】
また、蓋部材４は、本体２の長さ方向に摺動させて、電池収容部６を被蓋するように構成したが、例えば電池収容部６の上方から開口部を被蓋する構成のものも使用することができる。或いは、蓋部材４を電池収容部６の長さ方向の軸の回りに回転可能に構成し、電池収容部６の短縁方向から蓋部材４を摺動させて、開口部を被蓋してもよい。
【００３４】
また、上記の実施の形態では、接点片１４、１６を同一の形状としたが、接点片１４、１６がそれぞれ接続されるべき角型電池１２の電極に対応した形状とすることもできる。
【００３５】
上記の実施の形態では、電池として角型電池を使用したが、これに限ったものではなく、種々の電池にも適用することができる。例えば、角型電池に代えて、円柱状の電池や釦電池等も使用することができる。
【００３６】
【発明の効果】
以上のように、本発明の電池固定具では、電池の出し入れがしやすく、かつ電池のがたつきを抑えることができる。また、角型電池を電池収容部の接点片に誤って接続することを防止することもできる。
【図面の簡単な説明】
【図１】本発明の１実施の形態の電池固定具を実施したワイヤレスマイクロホンの蓋部材を本体に取り付けた状態と外した状態との部分破断側面図である。
【図２】図１のワイヤレスマイクロホンの舌片の構成を示す部分省略正面図である。
【図３】図１のワイヤレスマイクロホンの電池収容部の部分省略平面図である。
【符号の説明】
２  本体
４  蓋部材
６  電池収容部
８  長縁部
１０  短縁部
１２  角型電池
１８  ２０  角型電池の電極
１４  １６  接点片
２２  突部
２４  舌片
３２  当接部材
【図１】
0004169451.tif 000002
【図２】
0004169451.tif 000003
【図３】
0004169451.tif 000004